(57)【要約】    【課題】      ネットワークカメラがＩＰプロトコル・ＩＰｖ６アドレスを付与保有し、グローバルＩＰアドレス指定でカメラ・サーバ等の介在（接続）なしでＩＰカメラをダイレクトにインターネット経由アクセスすること。    【解決手段】  本発明は、グローバルＩＰ付与保有のＩＰカメラ、ＲＦＩＤタグ情報を非接触または近距離受信するＲＦＩＤリード・ライター手段と、ＲＦＩＤタグ属性情報、各々の関連情報が格納された管理テーブル、図・絵柄表示を含む表示画面生成手段、タグ移動の追尾更新管理ソフトウェア手段、ネットワーク・バージョンアップ手段、撮像画面位置決めするプリセット手段と、を具備した。  【選択図】      図１
2005277658.tif 000002
【特許請求の範囲】
【請求項１】
ネットワーク接続監視用ＩＰカメラ、モニター用ＩＰカメラと、ＲＦＩＤチップ情報を非接触または近接距離で行うパッシブ・タイプＲＦＩＤタグと自己送信のアクティブ・タイプＲＦＩＤタグの情報を取得するＲＦＩＤ情報取得手段と、領域内の管理対象の前記ＲＦＩＤタグを識別するＲＦＩＤ管理識別テーブル手段と、前記ＲＦＩＤタグの貼付対象物をカメラ撮像範囲領域内に位置セットするプリセット手段と、前記管理対象のＲＦＩＤタグの移動を管理する移動管理ソフト手段と、前記ＲＦＩＤ管理識別テーブル手段が用いる管理識別テーブルをネットワーク経由で取得しバージョンアップする通信手段と、前記ＲＦＩＤタグの情報を交換するＲＦＩＤ情報交換手段と、インターネット・アクセスの外部画像閲覧アクセスに際するセキュリティ手段と、を具備することを特徴とするＲＦＩＤタグ識別監視ＩＰカメラ・アクセス・システム。
【請求項２】
前記ネットワーク接続監視用ＩＰカメラ、モニター用ＩＰカメラは、グローバル・ＩＰアドレスを付与保有し、インターネットからＩＰカメラ本体に直接アクセスすることを特徴とする請求項１記載のＲＦＩＤタグ識別監視ＩＰカメラ・アクセス・システム。
【請求項３】
前記ＲＦＩＤ情報取得手段は、前記ＲＦＩＤタグの情報取得を非接触あるいは近距離で行うパッシブ・タイプと自己送信のアクティブ・タイプのリードとライトをすることを特徴とする請求項１記載のＲＦＩＤタグ識別監視ＩＰカメラ・アクセス・システム。
【請求項４】
前記管理識別テーブルは、前記ＲＦＩＤタグの貼付対象部品とＩＰカメラ撮像可能領域内での状態タイプ、固定型、位置移動型、あるいは登録位置型とＲＦＩＤタグ貼付、組込み物品とカメラ撮像位置プリセット情報と表示での図、絵柄等を関連付けることを特徴とする請求項１記載のＲＦＩＤタグ識別監視ＩＰカメラ・アクセス・システム。
【請求項５】
前記プリセット手段は、ＩＰカメラ・アクセスに際し、前記ＲＦＩＤ管理識別テーブル手段の前記管理識別テーブルからカメラ駆動情報を取得・駆動することを特徴とする請求項１から請求項４のいずれかに記載のＲＦＩＤタグ識別監視ＩＰカメラ・アクセス・システム。
【請求項６】
前記移動管理ソフト手段は、位置移動型タグ情報を管理し、前記ＩＰカメラ同士で、管理対象物品情報の移動管理情報を交換することを特徴とする請求項１から請求項４のいずれかに記載のＲＦＩＤタグ識別監視ＩＰカメラ・アクセス・システム。
【請求項７】
前記セキュリティ手段は、インターネット・プロトコルＩＰｖ６で用いるＩＰｓｅｃを用いたことを特徴とする請求項１記載のＲＦＩＤタグ識別監視ＩＰカメラ・アクセス・システム。
【請求項８】
前記通信手段は、前記管理識別テーブルをネットワーク経由で取得、あるいはバージョンアップできるネットワーク通信機能を有することを特徴とする請求項１から請求項４のいずれかに記載のＲＦＩＤタグ識別監視ＩＰカメラ・アクセス・システム。
【請求項９】
前記ＲＦＩＤ情報交換手段は、前記管理識別テーブルの管理対象物が管理範囲外となったとき、前記ＩＰカメラ間でＲＦＩＤ情報交換を行うことを特徴とする請求項１から請求項４または請求項６のいずれかに記載のＲＦＩＤタグ識別監視ＩＰカメラ・アクセス・システム。
【請求項１０】
撮像対象物が撮像領域を外れたとき、要求者にメッセージ、及び撮像可能ＩＰアドレスを送信、又は表示することを特徴とする請求項１記載のＲＦＩＤタグ識別監視ＩＰカメラ・アクセス・システム。
【発明の詳細な説明】
【技術分野】
【０００１】
本発明は、監視用ＩＰカメラ（ＩＰｖ６プロトコル対応）あるいはモニター用ＩＰカメラ（ＩＰｖ６プロトコル対応）に、ＲＦＩＤ（Ｒａｄｉｏ  Ｆｒｅｑｕｅｎｃｙ  Ｉｄｅｎｔｉｆｉｃａｔｉｏｎ：無線周波数による非接触自動識別）チップ情報リード／ライタ機能を装備し、ＩＰカメラ・アクセスに際し、管理対象領域にＲＦＩＤタグ情報が存在する場合、画像アクセス・サービスを行うＲＦＩＤタグ識別監視ＩＰｖ６カメラ・アクセス・システムに関する。
【背景技術】
【０００２】
インターネット黎明期として位置づけられる現在において、ユビキタス、ユビキタスネットワーク革命が急速に始まっている。ネットワークＩＰプロトコルもＩＰｖ６（世界規模）が立ち上がり、情報家電あるいは携帯電話、各々装置がＩＰアドレスを保有することが可能になりつつある。その中で、セキュリティ機能でのＩＰアドレスを持つネットワークカメラを用いた監視カメラ、あるいはモニターカメラが普及し幼稚園、学校、家庭内に設置され防犯効果をあげている（例えば、特許文献１参照）。
【０００３】
このようなシステムは、イーサネット（Ｒ）あるいは無線イーサネット（Ｒ）接続されたＩＰカメラ・サーバＩＰアドレスを指定、ＩＰカメラ撮像画像をＰＣ（パソコン）ディスプレイ、携帯電話等で表示するのが一般的であるが、見る側と見られる側の個人プライバシーの配慮は社会的な話題であり十分な検討が必須である。
【特許文献１】特開２００３−６１０７７号公報
【発明の開示】
【発明が解決しようとする課題】
【０００４】
しかしながら、上記従来の技術においては、以下のような問題が生ずる。既存ＩＰアドレス・ＩＰｖ４では既にＩＰアドレスが枯渇域に達し、新規グローバルＩＰ取得が難しいという物理的数量限界問題がある。
【０００５】
即ち、ポイント・ツー・ポイントサービスを提供するためには装置毎に、ＩＰアドレスを割り振らねばならず、従来の通信プロトコル技術であるＩＰアドレス・ＩＰｖ４では限りがあるという避けられない問題がある。対処的１時解決法として、ＮＴＡ（Ｎｅｔｗｏｒｋ  Ａｄｄｒｅｓｓ  Ｔｒａｎｓｌａｔｉｏｎ）、ＮＡＴ越えプロトコル技術も存在するが、国の政策（世界規模）でもあるＩＰｖ６・ＩＰアドレスに置き換わることは言うまでもない。
【０００６】
本発明は、係る問題点に鑑みて為されたもので、ネットワークカメラがＩＰプロトコル・ＩＰｖ６アドレスを保有することにより、グローバルＩＰアドレス指定でＩＰカメラがインターネット経由で直接アクセス可能とすることを目的とする。
【０００７】
また、今後、情報家電でのＩＰｖ６ネットワークカメラ利用形態で、セキュリティ（防犯）あるいは安全・安心確認（例えば石油ストーブ、ガスコンロ、介護、宅内・宅外監視）として、物品情報設置場所とＩＰカメラ撮像領域を決定するレンズ方位、ズーム情報等とＲＦＩＤ等の関連情報からカメラ・プリセット値を指定することで、いちいちカメラ操作画面でのパン、チルト、ズーム等の操作をせずに撮像画像を表示あるいはインターネット閲覧でき、安全確認等が非常に容易、カメラ・サーバが不要で、非常に簡単な構成のＲＦＩＤタグ識別監視ＩＰｖ６カメラ・アクセス・システムを提供することを目的とする。
【課題を解決するための手段】
【０００８】
本発明は、ＩＰカメラにＩＰアドレス体系のＩＰｖ６を実装し、ＩＰカメラグローバルＩＰアドレス手段とＲＦＩＤ情報取得手段と領域内の管理対象ＲＦＩＤを識別するＲＦＩＤ管理識別テーブル手段とＲＦＩＤ貼付対象物がカメラ撮像範囲領域内撮像できるようにセット（駆動）するプリセット手段と、インターネット・アクセス等の外部画像閲覧アクセスに際し、セキュリティ手段とを備えるようにしたものである。
【発明の効果】
【０００９】
本発明によれば、ＩＰアドレスのＩＰｖ６によりプライベート・ＩＰアドレスからグローバル・ＩＰアドレス付与保有することで、カメラ・サーバ経由、サーバ不要で、インターネットからＩＰカメラ本体に直接アクセス（ポイト・ツー・ポイントでの双方向通信）することができ、従来の片方向通信アプリケーション（Ｗｅｂ閲覧等）を払拭できる簡単で安価な構成となる効果がある。
【００１０】
さらに、ユビキタス、ユビキタスネットワークのアプリケーションとして脚光を浴びているミユーチップ（日立製作所・商標）などのＲＦＩＤタグチップ連携による物品情報を用いた宅内情報家電機器の安全確認、監視カメラで防犯・安心サービス、熱帯魚、植物の管理、宅内保管物品検索などキラー・アプリケーション・ビジネスモデルが可能となる効果が期待できる。
【発明を実施するための最良の形態】
【００１１】
本発明の第１の態様に係るＲＦＩＤタグ識別監視ＩＰカメラ・アクセス・システムは、ネットワーク接続監視用ＩＰカメラ、モニター用ＩＰカメラ（ＩＰｖ６プロトコル対応）と、ＲＦＩＤチップ情報を非接触または近接距離で行うパッシブ・タイプＲＦＩＤタグと自己送信のアクティブ・タイプＲＦＩＤタグの情報を取得するＲＦＩＤ情報取得手段と、領域内の管理対象の前記ＲＦＩＤタグを識別するＲＦＩＤ管理識別テーブル手段と、前記ＲＦＩＤタグの貼付対象物をカメラ撮像範囲領域内に位置セットするプリセット手段と、前記管理対象のＲＦＩＤタグの移動を管理する移動管理ソフト手段と、前記ＲＦＩＤ管理識別テーブル手段が用いる管理識別テーブルをネットワーク経由で取得しバージョンアップする通信手段と、前記ＲＦＩＤタグの情報を交換するＲＦＩＤ情報交換手段と、インターネット・アクセスの外部画像閲覧アクセスに際するセキュリティ手段と、を具備するものである。
【００１２】
この構成によれば、監視用ＩＰカメラ、モニター用ＩＰカメラ（ＩＰｖ６プロトコル対応）で家庭内物品等（家具、電気製品、ペット、衣類、薬ビン、介護、食品、玩具等）のＲＦＩＤチップ情報を非接触あるいは近距離で情報取得し、カメラ・アクセス要求に際し、管理領域内に存在するＲＦＩＤタグとカメラ・アクセス要求時のＲＦＩＤ情報に基づき、ローカルあるいはインターネット経由等のアクセス接続側にカメラ撮像画像を簡単な操作（一発位置決め）で表示、閲覧できるＩＰカメラ画像アクセスを提供することができる。
【００１３】
本発明の第２の態様は、第１の態様に係るＲＦＩＤタグ識別監視ＩＰカメラ・アクセス・システムにおいて、前記ネットワーク接続監視用ＩＰカメラ、モニター用ＩＰカメラ（ＩＰｖ６プロトコル対応）は、グローバル・ＩＰアドレスを付与保有し、インターネットからＩＰカメラ本体に直接アクセス（ポイト・ツー・ポイントでの双方向通信）する。
【００１４】
この構成によれば、既存ＩＰｖ４の３２ビットに比べ、ＩＰｖ６では１２８ビットＩＰアドレス空間となり、全ての物品にＩＰアドレス付与可能で、情報家電機器、携帯端末、電子機器等へグローバルＩＰアドレスで直接アクセスできＩＰｖ４でのＮＡＴ、ＮＡＴ越えプロトコル等を用いたＩＰｖ４アドレス拡張方式の弊害とされた片方向通信から、ポイント・ツー・ポイントでの本来の通信目的である双方向性通信が現実的に可能となりさまざまな利用形態アプリケーションが実現できる。
【００１５】
本発明の第３の態様は、第１の態様に係るＲＦＩＤタグ識別監視ＩＰカメラ・アクセス・システムにおいて、前記ＲＦＩＤ情報取得手段は、前記ＲＦＩＤタグの情報取得を非接触あるいは近距離で行うパッシブ・タイプと自己送信のアクティブ・タイプのリードとライトをする。
【００１６】
この構成によれば、ＲＦＩＤタグ情報を近接（非接触）あるいは数メータから十数メータ近距離のタグ情報リード・ライトが可能で、安全確認では、電気・石油ストーブ、ガスコンロの火の消忘れ確認、アイロンの電気切忘れ、安心確認では、介護ベット、ペット、熱帯魚、植物等状況確認、物品検索サポートでは、玩具、衣類等の捜し物の支援等をＲＦＩＤ情報で選択識別できる。
【００１７】
本発明の第４の態様は、第１の態様に係るＲＦＩＤタグ識別監視ＩＰカメラ・アクセス・システムにおいて、前記管理識別テーブルは、前記ＲＦＩＤタグの貼付対象部品とＩＰカメラ撮像可能領域内での状態タイプ、固定型、位置移動型、あるいは登録位置型とＲＦＩＤタグ貼付、組込み物品とカメラ撮像位置プリセット情報と表示での図、絵柄等を関連付ける。
【００１８】
この構成によれば、ＲＦＩＤ情報から管理識別テーブルを生成し、表示アイコン、ＲＦＩＤタグ存在位置とタグ物品撮像画像領域へのカメラ・レンズ移動（パン、チルト）制御となるプリセット値の関連情報テーブル化で、カメラ操作をアイコン選択あるいはタグ情報から簡単に撮像表示できる。さらに、ペット等のように複数台カメラ領域を移動する場合、カメラ間で通信することにより、撮像表示可能なカメラを起動できる。
【００１９】
本発明の第５の態様は、第１の態様から第４の態様のいずれかに係るＲＦＩＤタグ識別監視ＩＰカメラ・アクセス・システムにおいて、前記プリセット手段は、ＩＰカメラ・アクセスに際し、前記ＲＦＩＤ管理識別テーブル手段の前記管理識別テーブルからカメラ駆動情報を取得・駆動する。
【００２０】
この構成によれば、カメラ駆動情報のプリセット値でＲＦＩＤタグ撮像表示位置にカメラ・レンズを一揆に移動でき、パン・チルト等カメラ制御をいちいちしなくても撮像表示することができる。
【００２１】
本発明の第６の態様は、第１の態様から第４の態様のいずれかに係るＲＦＩＤタグ識別監視ＩＰカメラ・アクセス・システムにおいて、前記移動管理ソフト手段は、位置移動型タグ情報を管理し、前記ＩＰカメラ同士で、管理対象物品情報の移動管理情報を交換（変更・更新）する。
【００２２】
この構成によれば、例えばペットタグは家庭内で一階または二階など当然移動する場合、初期ＲＦＩＤ情報がカメラ撮像領域管理外となった場合、管理対象物品情報の移動管理情報交換により撮像領域管理外タグ追尾ができる。
【００２３】
本発明の第７の態様は、第１の態様に係るＲＦＩＤタグ識別監視ＩＰカメラ・アクセス・システムにおいて、前記セキュリティ手段は、インターネット・プロトコルＩＰｖ６で用いるＩＰｓｅｃ（ＩＰセキュリティ）を用いた。
【００２４】
この構成によれば、ＩＰｖ６標準的装備であるＩＰｓｅｃ（ＩＰセキュリティ）の情報暗号化、ＰＫＩによる鍵交換等インターネット経由からの宅内アクセスに際し、セキュリティ機能を用いたＶＰＮ構築ができ、安全なネットワークアクセスが実現できる。
【００２５】
本発明の第８の態様は、第１の態様から第４の態様のいずれかに係るＲＦＩＤタグ識別監視ＩＰカメラ・アクセス・システムにおいて、前記通信手段は、前記管理識別テーブルをネットワーク経由で取得、あるいはバージョンアップできるネットワーク通信機能を有する。
【００２６】
この構成により、管理識別テーブル内容確認・変更等をローカル・ネットワーク、インターネット経由で行えるので、遠隔地からの管理識別テーブル作成・ダウン・ロードビジネス展開ができる。
【００２７】
本発明の第９の態様は、第１の態様から第４の態様または第６の態様のいずれかに係るＲＦＩＤタグ識別監視ＩＰカメラ・アクセス・システムにおいて、前記ＲＦＩＤ情報交換手段は、前記管理識別テーブルの管理対象物が管理範囲外となったとき、前記ＩＰカメラ間でＲＦＩＤ情報交換を行う。
【００２８】
この構成により、ＩＰカメラの管理対象物が管理範囲を外れたとき、ＩＰカメラは管理対象物の情報収集を行うので、管理範囲を移動する対象に対して追尾撮像を行うことができる。
【００２９】
本発明の第１０の態様は、第１の態様に係るＲＦＩＤタグ識別監視ＩＰカメラ・アクセス・システムにおいて、撮像対象物が撮像領域を外れたとき、要求者にメッセージ、及び撮像可能ＩＰアドレスを送信、または表示する。
【００３０】
この構成により、要求者は、メッセージで撮像対象外を確認、あるいは撮像可能なカメラ・アドレス等の情報入手でき、いちいち撮像対象外のものを捜さないですむことができる。
【００３１】
以下、本発明の実施の形態について、図面を参照して詳細に説明する。
【００３２】
図１は、本発明の一実施の形態に係るＲＦＩＤ識別監視ＩＰｖ６カメラ・アクセス・システムの利用形態を示す概要図である。
【００３３】
本実施の形態に係るＲＦＩＤ識別監視ＩＰｖ６カメラ・アクセス・システムの利用形態の概要について図１を用いて説明する。
【００３４】
同図に示すように、携帯＆Ｌモード端末装置１０１は、宅内設置ＩＰカメラ撮像画像をインターネット経由でブラウズ（表示）できる。
【００３５】
インターネット１０２は、ＩＰｖ６サポートのＩＳＰ（インターネット・サービス・プロバイダ）ネットワークである。
【００３６】
ＩＰｖ６アクセス・ルータ１０３は、宅内設置常時接続タイプルータでルーティング及びファイア・ウォールを行う。
【００３７】
ＩＰカメラ１０７、ＩＰカメラ１０８、ＩＰカメラ１０９は、ＩＰプロトコルＩＰｖ６／ＩＰｖ４のデュアルＩＰプロトコルを実装、グローバルＩＰアドレス指定可能なＩＰカメラで、宅内イーサネット（Ｒ）１１３に接続されている。
【００３８】
ＩＰカメラ１０７の撮像領域を示すため、本実施形態の例では、安全確認対象１１０で石油ストーブ１１４、ＴＶ１１５、調理コンロ１１６、玄関ドア鍵／チェーン、１１７、アイロン１１８等の生活の安全確認を行えるようにしている。
【００３９】
また、ＩＰカメラ１０８は、安心確認対象１１１として、熱帯魚水槽１１９、ペット（猫、犬）１２０の状態確認を行えるようにしている。尚、ペット１２０の場合には、撮像領域を移動するケースが一般的であり、ＩＰカメラ１０８での撮像領域を追尾することが必須である。追尾内容は別途詳細を説明する。
【００４０】
ＩＰカメラ１０９は、置き場所確認を行えるようにしている。置き場所確認対象１１２としては、掛軸１２１、デジタル一眼レフ１２２、テニスラケット１２３等がある。
【００４１】
本実施形態は、ほんの一例であり、 ＲＦＩＤタグ貼付物品、ＩＣカードタイプ等の宅内利用は家族・年齢構成、住宅環境（設備）等で異なるケースとなる。
【００４２】
ＴＶ−表示装置１０４は、ＴＶ機能を持ち、ＳＴＢ（セット・トップ・ボックスＩＰｖ６対応）１０５と接続され、本実施形態の表示装置として機能する。
【００４３】
ＲＦＩＤリード／ライタ１０６は、ＳＴＢ１０５に接続、ＲＦＩＤタグ情報のリード・ライト（登録・更新・削除等）を行う。ＲＦＩＤリード／ライタはハンディタイプとの兼用タイプが望ましい。
【００４４】
ＲＦＩＤ受信機１２４は、アクティブ・タイプ、パッシブ・タイプ両ＲＦＩＤタグ情報受信用であり、ＩＰカメラ１０７〜１０９と接続または組込まれ、ペット追尾機能を行う。インターネット経由管理識別テーブル情報バージョンアップ、ダウン・ロードはＳＴＢ１０５から各ＩＰカメラにイーサネット（Ｒ）１１３経由で通知される。
【００４５】
次に、本実施形態の動作概要図１を用いて説明する。最初に図２に示す管理識別テーブルの情報登録を行う。情報登録はＩＰカメラ撮像領域視野（領域）とＩＰカメラ１０７〜１０９のレンズ方向指定ＩＰカメラ・プリセット・テーブルを作成する。
【００４６】
ＲＦＩＤリード／ライタ１０６、ハンディタイプで、物品貼付ＲＦＩＤタグコード情報を読取る。安全確認対象１１０の例として石油ストーブ１１４を用いる。石油ストーブ１１４がＴＶ−表示装置１０４に写るようにＩＰカメラ１０７、メニューでパン・チルトし撮像位置セットを行い、所定画像であればプリセット登録し、次にアイロン１１８を使用すれば上述したプリセット操作で同様に登録を行う。
【００４７】
調理コンロ１１６は、火の状態がよく見えるようにズーム機能等を用いて鮮明画像となるようにプリセットする。安心確認対象１１１は、状態確認を主たる目的としている。例として熱帯魚水槽１１９、ペット１２０（猫、犬等）、植物等が想定される。
【００４８】
尚、ペット（猫、犬等）１２０は動的に移動（例えば一階から二階へ、リビングルーム等）するのでＩＰカメラ１０８は、管理識別テーブル情報から動物を追尾せねばならない。
【００４９】
ＲＦＩＤ領域外制御部２１３では、ＲＦＩＤ受信機１２４で対象ＲＦＩＤタグ（アクティブ・タグ）がＩＰカメラ対象領域存在か否かの検知・検出し、存在検知後は、所定ＩＰカメラ１０７〜１０９が追尾撮像画像を映すことができるように制御情報の交換、または撮像可能なＩＰカメラ・ＩＰアドレスの返送表示（メッセージを含む）を行う。
【００５０】
置き場所確認対象１１２は、どこに置いたか所在を覚えていない物品手がかり撮像画像情報を提供するものである。撮像画像はＳＴＢ１０５、ＴＶ-表示装置１０４、インターネット１０２経由携帯電話あるいはＬモード端末装置１０１から安全確認対象１１０、安心確認対象１１１、置き場所確認対象１１２の撮像画像を見ることができる。
【００５１】
次に、本実施の形態に係る管理識別テーブルの概要について図２を用いて説明する。図２は、本実施の形態に係る管理識別テーブル図である。
【００５２】
同図に示したように、管理識別テーブルは、ＲＦＩＤタグ情報、属性情報、撮像管理カメラＮｏ、カメラ・プリセット値、領域移動物、表示アイコン、ＥＰＣコードに分類されている。また、管理識別テーブルは、ＲＦＩＤタグ情報、ＥＰＣ（Ｅｌｅｃｔｏｒｉｃ  Ｐｒｏｄｕｃｔ  Ｃｏｄｅ）の両方を表記している。
【００５３】
ＥＰＣコードは製品に割り当てられるＩＤで、ＥＰＣ-ＩＣタグに振り、タグを物体に貼り付けることで、物体を一意に識別可能とする技術であり、アパレルでは既に衣類管理利用されている。このシステムはＥＰＣコードから管理ＰＭＬ・ＳｅｒｖｅｒのＩＰアドレスを返送するＯＮＳ（Ｏｂｊｅｃｔ  Ｎａｍｅ  Ｓｅｒｖｅｒ）-Ｒｅｓｏｌｖｅｒ、ＰＭＬ（物体の情報）を保持するＰＭＬサーバで構成される世界規模な製品情報管理である。これは現在のバーコード体系のＡｕｔｏ-ＩＤに類似しているがセンターとしてはＥＰＣコードセンター、Ａｕｔｏ-ＩＤセンターが存在している。
【００５４】
本実施の形態では、ＥＰＣコードからインターネット経由の物体情報アクセスは実施していないが、近将来には家庭内からＲＦＩＤタグ・ＥＰＣコード（管理識別テーブルから）検索、情報収集等さまざまな利用シーンが想定（例として、骨董品鑑定、ペット血統等）される。
【００５５】
その際は、インターネット上のＯＮＳ-ＳｅｒｖｅｒへＥＰＣコード情報を送る手段と、ＰＭＬサーバ情報表示アプリケーションにより動作可能となることは言うまでもない。
次に属性情報は、各々の製品情報が書き込まれた属性情報でＲＦＩＤｌリード／ライタで読み出し、書き込みができる情報である。本実施の形態では、石油ストーブ１１４、ＴＶ１１５、調理コンロ１１６、電気アイロン１１８、ペット１２０、デジタル一眼レフ１２２、掛軸１２１、テニスラケット１２３等としている。
【００５６】
カメラ・プリセット値は、ＩＰカメラ・レンズ方向指示の座標情報で構成され、回転方向指示のパン情報、上下方向指示のチルト情報、ズーム情報、カメラＮｏ値が記載される。
【００５７】
領域移動物は、ＹＥＳあるいはＮＯ記載でＹＥＳは、物体が撮像領域範囲外となることが想定されるもので、ペット１２０（猫、犬等）が対象物体である。
【００５８】
図３は、本実施の形態に係るＩＰカメラ・ブロックを示すブロック図である。本実施の形態に係るＩＰカメラ・ブロック概要について図３を用いて説明する。
【００５９】
同図に示したように、ＩＰカメラ１０７〜１０９は、以下の構成である。システム制御部２０１は、ＣＰＵユニットである。
【００６０】
Ｗｅｂサーバ部２０２は、インターネット経由アクセスに際してＨｔｔｐ処理を実施、携帯電話からの画像アクセスまたは、ＩＰカメラ１０７〜１０９の撮影コントロールを行う。
【００６１】
画像処理メモリ２０３は、ＣＣＤデジタル化画像保存、携帯電話送信に際しての、ＪＰＥＧ、ＧＩＦ形式画像保存に用いる。
【００６２】
ＩＰプロトコル処理部２０４は、ＩＰｖ４／ＩＰｖ６デュアルプロトコル・スタック構成（ＩＥＴＦ）とし、ＩＰｖ６でのＩＰアドレス（１２８ビット）運用を行う。
【００６３】
通信制御処理部２０５は、アクセス端末装置に操作画面等の表示画像生成を行う。
【００６４】
管理識別テーブル部２０６は、図２で示したＲＦＩＤタグ情報、属性情報、撮像管理カメラ、カメラ・プリセット値、領域移動物、表示アイコン、ＥＰＣコード等を管理する管理識別テーブルである。
【００６５】
メモリ制御部２０７は、画像処理メモリ２０３、通信制御処理部２０５の表示制御ｇｉｆ／ｊｐｅｇメモリを制御する。
【００６６】
カメラ・プリセット部２０８は、図２に示す管理識別テーブルから選択指定されたカメラ・プリセット値がセーブされる。
【００６７】
パン・チルト駆動制御部２１０は、カメラ・プリセット部２０８の指定情報で、カメラ・レンズ駆動系を所定位置にセットする駆動制御部である。
【００６８】
ＲＦＩＤインターフェース２１１は、ＲＦＩＤ受信機１２４が受信したアクティブ・タイプ（自己送信タイプ）ＲＦＩＤタグ情報を管理識別テーブル部２０６へ通知する。
【００６９】
ネットワーク接続通信部２１２は、イーサネット（Ｒ）１１３、ＩＰｖ６アクセス・ルータ１０３、インターネット１０２経由で携帯＆Ｌモード端末１０１等と接続される。
【００７０】
図４は、本実施の形態に係る携帯画像アクセス表示イメージを示す携帯画像アクセス表示図である。本実施の形態に係るＲＦＩＤ携帯画像アクセス表示について図４を用いて説明する。
【００７１】
同図に示したように、インターネット経由での携帯電話（ＰＤＡ、ＰＣを含む）等のアクセスは、まず ＲＦＩＤ一覧画面３０１からスタートし、宅外から石油ストーブを消したか否か不安の場合、簡単に石油ストーブアイコン表示選択で、ＩＰカメラが石油ストーブを撮像（表示）石油ストーブ３０２で、火を消したか否かの完全、安心確認ができる。
【００７２】
次に、ペット（猫）アイコン表示選択でＩＰカメラはＲＦＩＤタグ追尾によりペット（猫）所在を検出表示、ペット３０３表示することができる。
【００７３】
尚、ペット移動領域が早い場合では、追尾したとき現場にいないケースが想定されるが、ＩＰカメラ設置台数、カメラ駆動速度アップ等を行うことで実現可能となることは言うまでもない。
【００７４】
次に、図１〜図４を用いてさらに詳しく説明する。まず、ＲＦＩＤタグと各属性情報等の関連テーブル登録（作成）を行う。
【００７５】
図１の安全確認対象１１０の石油ストーブ１１４を例として説明する。石油ストーブ１１４設置場所でＲＦＩＤリード／ライタ１０６でＲＦＩＤタグ情報をリード、タグ情報からＲＦＩＤコード、属性情報（石油スーブ）、ＥＰＣコードを取得する。
【００７６】
ＲＦＩＤリード／ライタ１０６を接続、ＳＴＢ１０５、ＴＶ−表示装置１０４の電源投入ＩＰカメラＲＦＩＤアプリケーション・メニューで設置ＩＰカメラを選択、実施例として安全確認対象１１０用ＩＰカメラ１０７を選択する。
【００７７】
ＩＰカメラ撮像画像を見ながら、石油スーブ１１４が撮像領域に入るようパン・チルト操作を実行する。そして、石油ストーブ１１４の安全確認ができれば登録する。
【００７８】
登録するとカメラ・パン・チルト・ズーム値等は管理識別テーブル部２０６に関連情報と共に格納される。
【００７９】
尚、管理識別テーブル部２０６のメモリは不揮発である。同登録操作をＴＶ１１５、アイロン１１８、調理コンロ１１６、玄関ドア（チェーン状況）１１７について行う。安心確認対象１１１は、ＩＰカメラ１０８を選択、同登録操作を繰り返す。
【００８０】
置き場所確認対象１１２は、ＩＰカメラ３  １０９を選択、掛軸１２１、カメラ１２２、ラケット１２３同登録操作を繰り返す。これですＲＦＩＤタグ位置情報とＩＰカメラ撮像画像領域設定が終了する。
【００８１】
ＩＰカメラ１０７のパン・チルトはパン・チルト駆動制御部２１０のモータ駆動によって上下、左右動作が可能である。設定範囲はパン方向−６０度から＋６０度、チルト方向０度から−４５度となっている。
【００８２】
ここでは、プリセットを１０とした。携帯電話からの家庭内アクセスは、携帯電話＆Ｌモード端末装置１０１、インターネット１０２、ＩＰｖ６アクセス・ルータ１０３、イーサネット（Ｒ）１１３を経由してネットワーク接続通信部２１２のプロトコル識別で判別、ＩＰプロトコル処理部２０４において使用ＩＰプロトコル（ＩＰｖ４＆ＩＰｖ６）で運用される。
【００８３】
ＩＰｖ６はセキュリティ装備とてＩＫＥ（インターネット鍵交換）、ＩＰｓｅｃ（ＩＰセキュリティ）の暗号化技術が利用可能でＶＰＮが実現される。ＩＫＥ・暗号化部は接続相手先がＩＰｖ６セキュリティ機能要求の場合、暗号化・ＩＫＥ部２０９は、認証（ＡＨ）データ暗号化、復号化（３ＤＥＳ、ＤＥＳ、ＡＥＳ）を実行セキュリティ確保行うことができる。
【００８４】
又ＩＰｖ４におけるオプション機能でＩＰｓｅｃ要求の場合も対応可能である。
【００８５】
ＩＰ層レベルでの処理後、上位層アプリケーションは、Ｗｅｂサーバ（アパッチ）で、携帯電話アクセスに携帯電話メニューをブラウズ可能とする。
【００８６】
図４に携帯画像アクセス表示画面を示す。ＲＦＩＤ一覧メニュー３０１で選択、アクセス表示画像は、通信制御処理部２０５で、表示制御ｇｉｆ／ｊｐｅｇ形式データ生成されているので携帯電話からブラウズできる。
【００８７】
石油ストーブ３０２、ペット３０３等である。動作は、ＲＦＩＤ一覧メニュー３０１の選択で見たいものが選択されると、カメラ・プリセット部２０８が格納するＩＰカメラ・プリセット値をＩＰカメラ・パン・チルト駆動制御部２１０に転送、石油ストーブ１１４を的確に一発で撮像可能領域において撮像することができる。
【００８８】
操作者は図４で示すアイコン表示の簡単操作で安全確認対象１１０を行うことができる。安心確認対象１１１、例外処理として、ペット等ＩＰカメラ領域を移動するケースがある。例外処理について詳しく説明する。
【００８９】
ペットまたは領域移動するものについては、本実施形態はＲＦＩＤアクティブ・タイプ（自己送信タイプ）を使用、首輪に装着されたＲＦＩＤユニット（薄型電池実装）電波をＩＰカメラ１０７、ＲＦＩＤ受信機１２４で検知する。
【００９０】
例えば、ＩＰカメラ１０７が一階、ペットが二階に移動の場合、検知情報は無しとなり、図２の管理識別テーブル、移動領域物がＹｅｓ設定により撮像領域外と判断、ＩＰカメラ１０７は、撮像せず、図４に示すように、携帯画像アクセス表示画面にペット領域外画像３０４、・・というメッセージ等を操作要求者に表示することで、操作者は二階設置のＩＰカメラ（二階）を選択しペット撮像画像を見ることができ、簡単にペット等追尾を行うことができる。
【００９１】
当然ＩＰカメラ間でＲＦＩＤ受信機情報を交換（共有化）すれば携帯電話アクセス時に、撮像画像可能ＩＰカメラ・IＰアドレス（ＩＰｖ６あるいはカメラネーム）を文字列の代わりに返送表示すれば、複数台のＩＰカメラのどこにペットが入るか直接指定で容易に見ることができる。
【００９２】
領域外ＩＰカメラ・ＩＰアドレスメッセージ、ＩＰｖ６グローバルＩＰアドレス２００１：３８０：４８０２：９１：：１３０５を図４、ＩＰカメラ・アドレス３０５を示す。
【産業上の利用可能性】
【００９３】
本発明に係るＲＦＩＤタグ情報とＩＰカメラ撮像領域を管理識別テーブル形式化することでタグ貼付物品とＩＰカメラの撮像領域位置情報がリンク（関連付け）され、家庭内ユビキタスの一例として家庭内での安心確認、安全確認、置き場所確認等の人に係わる確認サービスを家庭内、あるいはインターネット経由の遠隔地からのサービス提供ができ、セキュリティでの防犯、火災防止、ペット状況確認、物忘れの補助等が行え、心の安心、安らぎとなる精神的安定を高めることができる点で非常に有用である。
【図面の簡単な説明】
【００９４】
【図１】本発明の一実施の形態に係るＲＦＩＤ識別監視ＩＰｖ６カメラ・アクセス・システムの概要図
【図２】上記実施の形態に係る管理識別テーブル図
【図３】上記実施の形態に係るＩＰカメラ・ブロックを示すブロック図
【図４】上記実施の形態に係る携帯画像アクセス画像を示す携帯画像アクセス表示図
【符号の説明】
【００９５】
１０１  携帯＆Ｌモード端末装置
１０２  インターネット  
１０３  ＩＰｖ６アクセス・ルータ
１０４  ＴＶ−表示装置
１０５  ＳＴＢ（セット・トップ・ボックス）
１０６  ＲＦＩＤリード／ライタ
１０７〜１０９  ＩＰカメラ
１１０  安全確認対象
１１１  安心確認対象
１１２  置き場所確認対象
１１３  イーサネット（Ｒ）
１１４  石油ストーブ
１１５  ＴＶ
１１６  調理コンロ
１１７  玄関ドア鍵／チェーン
１１８  アイロン
１１９  熱帯魚水槽
１２０  ペット
１２１  掛軸
１２２  デジタル一眼レフ
１２３  ラケット
１２４  ＲＦＩＤ受信機
２０１  システム制御部
２０２  Ｗｅｂサーバ部
２０３  画像処理メモリ
２０４  ＩＰプロトコル処理部
２０５  通信制御処理部
２０６  管理識別テーブル部
２０７  メモリ制御部
２０８  カメラ・プリセット部
２０９  暗号化・ＩＫＥ部
２１０  パン・チルト駆動制御部
２１１  ＲＦＩＤインターフェース
２１２  ネットワーク接続通信部
２１３  ＲＦＩＤ領域外制御部
３０１  ＲＦＩＤ一覧
３０２  石油ストーブ
３０３  ペット
３０４  ペット領域外画像
３０５  ＩＰカメラ・アドレス
【図１】
2005277658.tif 000003
【図２】
2005277658.tif 000004
【図３】
2005277658.tif 000005
【図４】
2005277658.tif 000006